(57)【要約】      （修正有）【課題】入金処理における係員のリジェクト硬貨の保管に対する負担を軽減させると共に、現金処理装置の稼動効率を向上させる手段を提供する。【解決手段】投入された硬貨を１枚毎に繰出す繰出部１２と、繰出部１２から繰出された硬貨に対する各種の鑑別を行う鑑別部１３と、鑑別部１３で異常と鑑別されたリジェクト硬貨を集積するリジェクト庫２２とを有する硬貨取扱部７を備えた現金処理装置において、リジェクト庫２２の排出通路２６の下流に、印刷部を有するパッキング部３０を設け、このパッキング部３０で、印刷部により取引単位毎に付与される取引番号を印刷した保管袋にリジェクト硬貨を取引単位で袋詰めにして放出口３２へ放出する。【選択図】図２
2008299544.tif 000002
【特許請求の範囲】
【請求項１】
投入された硬貨を１枚毎に繰出す繰出部と、該繰出部から繰出された硬貨に対する各種の鑑別を行う鑑別部と、該鑑別部で異常と鑑別されたリジェクト硬貨を集積するリジェクト庫とを有する硬貨取扱部を備えた現金処理装置において、
前記リジェクト庫の排出通路の下流に、印刷部を有するパッキング部を設け、
該パッキング部で、前記印刷部により取引単位毎に付与される取引識別子を印刷した保管袋に、前記リジェクト硬貨を前記取引単位で袋詰めにすることを特徴とする現金処理装置。
【請求項２】
請求項１において、
前記取引識別子を、バーコードで印刷することを特徴とする現金処理装置。
【請求項３】
請求項１において、
前記保管袋に、ＩＣタグを付加し、
該ＩＣタグに、前記取引識別子を記録することを特徴とする現金処理装置。
【発明の詳細な説明】
【技術分野】
【０００１】
本発明は、回収された硬貨を金種別に選別して収納する硬貨取扱部を備えた現金処理装置に関する。
【背景技術】
【０００２】
従来の現金処理装置は、硬貨を投入する投入口と、投入された硬貨を１枚毎に分離して繰出す繰出部と、繰出された硬貨に対する真偽や金種等の各種の鑑別を行う鑑別部と、鑑別部で正常と鑑別された硬貨を集積する一時保留部と、入金が確定された硬貨を金種別に収納する金種別収納庫と、鑑別部で異常と鑑別されたリジェクト硬貨を集積するリジェクト庫とを有する硬貨取扱部を備え、回収された硬貨を入金処理する場合に、回収した硬貨を一括して投入口に投入し、繰出部で１枚毎に分離された硬貨を鑑別部へ搬送し、鑑別部で正常と鑑別された硬貨は、一時保留部へ搬送して金種別に収納し、鑑別部で異常と鑑別されたリジェクト硬貨は、リジェクト庫へ搬送して集積し、計数された金種別の枚数等が確定されると、一時保留部に集積された硬貨を金種別収納庫へ搬送して集積している。
【０００３】
この場合に、リジェクト庫にリジェクト硬貨が集積されているときは、表示部にリジェクト硬貨の抜取りを促す文言を表示して、係員にリジェクト硬貨の抜取りを行わせ、係員は抜取った硬貨の金種および枚数を確認し、その金種別の枚数を入力部から入力して入金処理を継続させている（例えば、特許文献１参照。）。
【特許文献１】特開２００６−１４６４６９号公報（段落００１１、段落００１４−段落００１７、第１図）
【発明の開示】
【発明が解決しようとする課題】
【０００４】
しかしながら、上述した従来の技術においては、回収した硬貨の計数時に、リジェクト硬貨が存在する場合は、係員はリジェクト硬貨を抜取って硬貨の金種および枚数を確認し、その金種別の枚数を入力部から入力して入金処理を継続させているため、このリジェクト硬貨の処理の間、現金処理装置の稼動を停止しなければならず、現金処理装置の稼動効率が低下するという問題がある。
【０００５】
また、係員は抜取ったリジェクト硬貨を区別して保管しておかなければならず、係員のリジェクト硬貨の保管に対する負担が増加するという問題がある。
本発明は、上記の問題点を解決するためになされたもので、係員のリジェクト硬貨の保管に対する負担を軽減させると共に、現金処理装置の稼動効率を向上させる手段を提供することを目的とする。
【課題を解決するための手段】
【０００６】
本発明は、上記課題を解決するために、投入された硬貨を１枚毎に繰出す繰出部と、該繰出部から繰出された硬貨に対する各種の鑑別を行う鑑別部と、該鑑別部で異常と鑑別されたリジェクト硬貨を集積するリジェクト庫とを有する硬貨取扱部を備えた現金処理装置において、前記リジェクト庫の排出通路の下流に、印刷部を有するパッキング部を設け、
該パッキング部で、前記印刷部により取引単位毎に付与される取引識別子を印刷した保管袋に、前記リジェクト硬貨を前記取引単位で袋詰めにすることを特徴とする。
【発明の効果】
【０００７】
これにより、本発明は、入金処理時にリジェクト硬貨が発生したした場合に、そのリジェクト硬貨を取引単位で取引番号が印刷された保管袋に自動的に袋詰めして一時保管することが可能になり、現金処理装置の稼動を停止させることなく、連続的に稼動させて現金処理装置の稼動効率を向上させることができると共に、係員はリジェクト硬貨を区別して保管する必要がなくなり、係員のリジェクト硬貨の保管に対する負担を軽減することができるという効果が得られる。
【発明を実施するための最良の形態】
【０００８】
以下に、図面を参照して本発明による現金処理装置の実施例について説明する。
【実施例】
【０００９】
図１は実施例の現金処理装置を示すブロック図、図２は実施例の硬貨取扱部の概略構成を示す説明図、図３は実施例のパッキング部の断面を示す説明図、図４は図３のＢ−Ｂ断面線に沿った断面を示す説明図、図５は図３のＣ−Ｃ断面線に沿った断面を示す説明図である。
なお、図３は図２の矢視Ａ方向から見た断面図で示してある。
【００１０】
図１において、１は銀行等の金融機関や警備会社等の現金センタに設置された現金処理装置であり、支店や郵便局、コンビニエンスストアやチェーン店等の小売店等の店舗に設置された現金自動預払機やレジスタ等から回収された現金の入金処理等を行うために使用される。
２は現金処理装置１の主制御部２であり、現金処理装置１の各部を制御して紙幣や硬貨の入金処理等を実行する機能を有している。
【００１１】
３は現金処理装置１の主記憶部であり、主制御部２が実行するプログラムやそれに用いる各種のデータおよび主制御部２による処理結果等が格納される。
４は表示操作部であり、ＬＣＤ等の表示画面とタッチパネル等の入力手段との組合せで構成されており、表示画面に店舗の係員が行う業務の業務選択画面や各種の入力画面等を表示する他、入力手段により係員からの入力を受付ける。
【００１２】
５は入力部であり、係員が入金時の金額や硬貨等の金種別の枚数の入力等を行うキーボード等が設けられている。
６は紙幣取扱部であり、投入された紙幣を受入れ、これを鑑別および計数して金種別に収納すると共に、収納した紙幣を繰出して払出す機能を有している。
７は硬貨取扱部であり、投入された硬貨を受入れ、これを鑑別および計数して金種別に収納すると共に、収納した硬貨を繰出して払出す機能を有している。
【００１３】
図２において、８は硬貨取扱部７の制御部であり、主制御部２からの指令を基に、硬貨取扱部７内の各部を制御して、硬貨の入金処理等を実行する機能を有している。
９は硬貨取扱部７の記憶部であり、制御部８が実行するプログラムやそれに用いる各種のデータおよび制御部８による処理結果等が格納される。
１１は硬貨の投入口であり、係員が回収された硬貨等を一括して投入するときに用いる。
【００１４】
１２は繰出部であり、投入口１１の下方に配置され、モータにより回転する回転円盤とその外周を囲う外周ガイドおよび外周ガイドの一部を切り欠いて取扱う全ての硬貨が一枚のみ通過できる隙間を設けた分離ゲート等から構成されており、投入口１１から投入され、回転円盤上に集積された硬貨を１枚毎に分離して繰出す機能を有している。
１３は硬貨の鑑別部であり、繰出部１２により１枚毎に分離されて搬入された硬貨に対する真偽、正損、金種等の各種の鑑別を行う機能を有している。
【００１５】
１４は硬貨の一時保留部であり、鑑別部１３で金種が鑑別され、正常と鑑別された硬貨を金種別に集積して一時保留し、各一時保留部１４に集積された硬貨は、底部に設けられた開閉シャッタ１５を開作動したときに、その下側に配置されたシュータ１６に導かれてそれぞれの金種別収納庫１７に収納される。
また、一時保留部１４は、係員に硬貨を返却するための返却箱１８の上方へ移動可能に構成されており、係員へ硬貨を返却する際に返却箱１８の上方に移動して開閉シャッタ１５を開作動させ、一時保留部１４の硬貨を返却箱１８へ落下させて排出する。
【００１６】
金種別収納庫１７の下方には、硬貨を出金する際に硬貨を集積するための出金箱１９と金種別収納庫１７の硬貨が過剰となった場合に硬貨を回収するための回収カセット２０とが設けられており、これらと金種別収納庫１７とを接続するダクト２１の搬送方向を切替えて金種別収納庫１７から繰出された硬貨が出金箱１９または回収カセット２０に集積される。
【００１７】
２２はリジェクト庫であり、鑑別部１３で、外国硬貨や変形、汚れ等により金種不明と鑑別され、異常と鑑別されたリジェクト硬貨を集積する集積庫である。
２３は搬送路であり、繰出部１２で１枚毎に分離されて繰出された硬貨を鑑別部１３へ搬送し、鑑別部１３で鑑別された硬貨をリジェクト庫２２や一時保留部１４へ搬送する搬送路であって、硬貨を挟持して搬送するためのガイド板とこれに対向する搬送ベルトとから構成され、その鑑別部１３の下流には、リジェクト庫２２へ硬貨を導くリジェクト通路２４への分岐または通過を図示しないソレノイドにより切替える切替ブレードが設けられている。
【００１８】
また、鑑別部１３の下流の搬送路２３のガイド板には、硬貨の金種を選別するための複数の選別穴が設けられており、それぞれの選別穴の下側には、金種を選別されて落下する硬貨を各一時保留部１４へ導く金種別通路２５が配置されている。
上記のリジェクト庫２２の底部には、図示しないソレノイドにより開閉可能に構成された底板２２ａが設けられており、この底板２２ａが開作動したときにその下側に配置された樋状の排出通路２６にリジェクト硬貨が落下する。
【００１９】
また、排出通路２６の途中には、返却口２７にリジェクト硬貨を導く返却通路２８への分岐または通過を図示しないソレノイドにより切替える切替板２９が設けられ、その先端の排出口２６ａは、図４に２点鎖線で示すように排出方向に沿って、図示しないスライド機構により伸縮可能に構成されている。
３０はパッキング部であり、排出通路２６の排出方向の下流側の端部に設けられ、排出通路２６に導かれて排出口２６ａから排出されたリジェクト硬貨を、保管袋３１に袋詰めして放出口３２へ放出する機能を有している。
【００２０】
本実施例の保管袋３１は、熱可塑性を有する樹脂材料で形成された２枚の長尺のシートを、その長手方向に沿って保管袋３１を形成するための所定の間隔で熱圧着して接合部３４ａを形成し、これにより形成された開放端の一方を熱圧着して底部３１ａを形成した袋状に形成され、単品として、または複数の保管袋３１が連続して帯状に形成されたロール状の連続袋３４として用いられる。
【００２１】
本実施例のパッキング部３０においては、ロール状の連続袋３４が用いられる。
図３において、３６は供給口ガイド板であり、パッキング部３０の連続袋３４の供給口３０ａの設けられ、図示しない搬送ローラ等の搬送機構で、保管袋３１の底部３１ａと反対側の開放端３１ｂ（図４参照）を排出通路２６の排出口２６ａ側にして供給される連続袋３４をパッキン部３０へ円滑に導く機能を有している。
【００２２】
３７はパッキング部３０に設けられた開口機構であり、図示しない真空ポンプ等の負圧源から吸引用の負圧が供給される一対の吸引部３７ａ、３７ｂを対向配置して構成され、図４に示すように、吸引部３７ａが昇降して、保管袋３１の底部３１ａ側に傾斜する載置板３８上に載置された保管袋３１の開放端３１ｂを上下から吸引して開口させる機能を有している。
【００２３】
４０はステージであり、案内板４１に案内されて、図示しない搬送機構により、底部３１ａ側に傾斜させたまま搬送されたリジェクト硬貨が収容された保管袋３１を開放端３１ｂの封止位置に保持する。
また、ステージ４０は、図５に示すように、保管袋３１の開放端３１ｂ側に設けられた回転支点４０ａを中心として樋状の放出通路４２の方向に回動し、昇降するヒータ４３ａと固定された支持台４３ｂとからなる封止機構４３で開放端３１ｂが熱圧着されてリジェクト硬貨が封入され、カッタ４４で連続袋３４の接合部３４ａの中央部を切断して単品に切り離された保管袋３１を放出通路４２へ滑り落とす機能を有している。
【００２４】
４６は印刷部であり、ステージ４０の上方に配置されたコンティニアス型等の比較的インク到達距離の長いインクジェット式の印刷ヘッドを備えており、この印刷ヘッドが対向する軽度の凹凸を有する保管袋３１の面に、取引単位で付与される取引識別子としての取引番号等を直接印刷する機能を有している。
上記の構成の作用について、店舗から回収された硬貨を入金処理する場合を例に説明する。
【００２５】
警備会社等の回収担当者は、複数の現金自動預払機やレジスタ等からそれぞれ回収した紙幣群および硬貨群を、それぞれの有高や回収先の号機番号または店舗番号等の識別番号を記した伝票とともに現金センタの係員に引渡す。
複数の紙幣群および硬貨群とその伝票を受取った係員は、これらを現金処理装置１へ運搬し、現金処理装置１の図示しないカード読取部に、係員カードをパスさせる。
【００２６】
これを検知した現金処理装置１の主制御部２は、係員カードの係員番号等を読取って係員を認証し、その係員が担当可能な業務を表示した業務選択画面を表示操作部４の画面に表示し、係員はその業務選択画面から回収した現金の入金処理を選択する。
表示操作部４の入力手段により、係員の選択入力を受付けた主制御部２は、選択された取引を入金処理と認識し、表示操作部４の画面に、紙幣群および硬貨群の有高とそれらの金種別の枚数、回収先の識別番号等の入力欄、並びに入力終了を指示するための確認ボタン等を表示した伝票情報入力画面を表示し、係員は伝票に記載された伝票情報、つまり硬貨および紙幣の有高やその金種別の枚数、一つの回収先（例えば、１台の現金自動預払機または一つの小売店）の識別番号等を入力部５のキーボード等を用いて入力した後に確認ボタンを押下する。
【００２７】
確認ボタンの押下により入力された伝票情報を認識した主制御部２は、その伝票情報を主記憶部３に一時保存し、表示操作部４の画面に紙幣群や硬貨群の投入を促す旨の文言を表示すると共に、硬貨取扱部７の制御部８および紙幣取扱部６の図示しない制御部へ、それぞれ取込指令を送出し、取込指令を受けた各制御部は、硬貨の投入口１１および図示しない紙幣の投入口を開放する。
【００２８】
係員は、開放されたそれぞれの投入口に、回収先から回収された硬貨群および紙幣群を一括して投入する。
その後の紙幣の入金処理の作動は、通常の場合と同様であるのでその説明を省略する。以下に本実施例の硬貨の入金処理の作動について説明する。
投入口１１へ一括して投入され、繰出部１２に硬貨が集積されたことを検知した硬貨取扱部７の制御部８は、繰出部１２により集積された硬貨を１枚毎に分離して搬送路２３へ繰出して鑑別部１３へ搬送する。
【００２９】
繰出された硬貨を鑑別部１３へ搬送した制御部８は、鑑別部１３によりその硬貨の真偽、金種等を鑑別してその鑑別結果を認識する。
鑑別結果を認識した制御部８は、その鑑別結果が正常と鑑別された硬貨の場合は、鑑別部１３の下流に設けられた図示しない切替ブレードを通過の方向に作動させ、切替ブレードを通過させた硬貨を、その下流の搬送路２３に設けられた選別穴の該当する金種の選別穴から金種別通路２５へ落下させて、当該金種の一時保留部１４へ集積し、記憶部９に設けられた当該金種のカウントエリアのカウント数に「１」を加えて、当該金種の集積枚数を計数する。
【００３０】
また、その鑑別結果が、異常と鑑別されたリジェクト硬貨の場合は、鑑別部１３の下流に設けられた図示しない切替ブレードをリジェクト通路２４への分岐させる方向に作動させ、リジェクト硬貨をリジェクト通路２４によりリジェクト庫２２へ導いて集積する。
そして、制御部８は、投入された全ての硬貨の一時保留部１４および／若しくはリジェクト庫２２への取込動作を終えると、記憶部９でカウントした金種別の集積枚数およびリジェクト硬貨の有無を記した取込終了通知を主制御部２へ送出する。
【００３１】
取込終了通知を受取った主制御部２は、その金種別の集積枚数を基にこれらを合計した入金金額を算出し、算出した入金金額と金種別の集積枚数、リジェクト硬貨の有無からなる計数結果、および主記憶部３に一時保存した伝票情報、並びに入金金額の確定を支持するための確認ボタン、入金処理の取消を指示するための取消ボタン等を表示した入金金額確認画面を表示操作部４の画面に表示し、係員は表示された内容を、伝票情報を基に確認し、入金金額を確定するために確認ボタンを押下する。
【００３２】
なお、取消ボタンが押下された場合には、これを認識した主制御部２は返却指令を制御部８へ送出し、これを受けた制御部８は、一時保留部１４を返却箱１８の上方へ移動させ、開閉シャッタ１５を開作動させて返却箱１８に硬貨を排出すると共に、リジェクト庫２２の底板２２ａおよび排出通路２６の切替板２９を、図２に２点鎖線で示す方向に開作動させ、リジェクト硬貨を排出通路２６から返却通路２８へ落下させて返却口２７に集積し、投入された全ての硬貨を係員に返却し、投入された全ての硬貨の返却動作を終えた制御部８は、その旨を記した返却終了通知を主制御部２へ送出する。これを受けた主制御部２は入金処理を終了させる。
【００３３】
確認ボタンの押下により入金金額が確定されたことを認識した主制御部２は、取引単位毎の取引番号を採番し、その入金取引に取引番号を付与し、付与した取引番号に対応させて、確定された入金金額等の計数結果およびリジェクト硬貨に有無、並びに伝票情報等を取引情報として主記憶部３に格納すると共に、付与した取引番号を添付した収納指令を制御部８へ送出し、これを受けた制御部８は添付されている取引番号を記憶部９に一時保存して、一時保留部１４の開閉シャッタ１５を開作動させ、各一時保留部１４に集積されている硬貨をそれぞれのシュータ１６により金種別収納庫１７落下させて収納する。
【００３４】
なお、金種別収納庫１７の収納量が過剰となっている場合は、その金種の硬貨はダクト２１により回収カセット２０へ導かれて収納される。
また、制御部８は、リジェクト庫２２にリジェクト硬貨が集積されている場合は、リジェクト庫２２に集積されているリジェクト硬貨を排出通路２６によりパッキング部３０へ導いてリジェクト硬貨を取引単位で保管袋３１に封入し、袋詰めにしたリジェクト硬貨を放出口２３から放出する。
【００３５】
すなわち、制御部８は、開口機構３７の吸引部３７ｂにより吸引しながら載置板３８上に待機させていた連続袋３４の先頭の空の保管袋３１の上方の開放端３１ｂに、吸引部３７ａを下降させて上方の開放端３１ｂを吸引し、これを上昇させて保管袋３１の開放端３１ｂを排出通路２６の排出口２６ａより大きく開口させ、排出口２６ａを、図４に２点鎖線で示すように開放端３１ｂの内部まで突出させる。
【００３６】
排出口２６ａを突出させた制御部８は、排出通路２６の切替板２９を通過位置に閉作動させると共にリジェクト庫２２の底板２２ａを開作動させ、集積されているリジェクト硬貨を排出通路２６により導いて、排出口２６ａから排出して保管袋３１の内部に収容し、その後に排出口２６ａを元の位置に引抜く。
次いで、制御部８は内部にリジェクト硬貨を収容した保管袋３１を、図示しない搬送機構により、案内板４１に案内させながら保管袋３１を底部３１ａ側に傾斜させたまま搬送し、当該保管袋３１をステージ４０上の開放端３１ｂの封止位置に停止させ、下方の開放端３１ｂを封止機構４３の支持台４３ｂ上に位置させて保持する。
【００３７】
当該保管袋３１をステージ４０上の封止位置に保持した制御部８は、ヒータ４３ａに通電してこれを加熱すると共に、ヒータ４３ａを下降させて開放端３１ｂに押圧し、保管袋３１の開放端３１ｂを熱圧着して、保管袋３１の内部にリジェクト硬貨を封入する。
リジェクト硬貨を封入した制御部８は、ヒータ４３ａを上昇させて元の位置に停止させると共に、記憶部９に一時保存した取引番号を読出し、その印刷データを印刷部４６に送って、ステージ４０上の保管袋３１の上面に取引番号を印刷する。
【００３８】
保管袋３１に取引番号を印刷した制御部８は、当該保管袋３１と、載置板３８上に吸引部３７ｂにより吸引されながら載置されている次の保管袋３１との間の接合部３４ａをカッタ４４で切断して先頭の当該保管袋３１を単品に切り離し、ステージ４０を回転支点４０ａを中心として、図５に２点鎖線で示すように回動させ、ステージ４０上の切り離された当該保管袋３１を放出通路４２へ滑り落とし、これを放出通路４２により放出口３２へ導いて放出する。
【００３９】
その後に、係員による当該保管袋３１の受取りを確認した制御部８は、収納動作が終了した旨を記した収納終了通知を主制御部２へ送出し、これを受けた主制御部２は入金処理を終了させる。
一方、放出口３２に放出された取引単位のリジェクト硬貨が封入された保管袋３１を受取った係員は、次の硬貨群等の入金処理を開始した後に、その保管袋３１を所定の保管場所へ運んでそのままの状態で一時保管する。
【００４０】
そして、当日の入金処理等の終了後や一連の取引の終了後等の空き時間等に、係員または管理者は、一時保管されているリジェクト硬貨が封入された保管袋３１に印刷されている取引番号を入力部５から入力し、現金処理装置１の主記憶部３に格納されている該当する取引情報を表示操作部４に表示させ、保管袋３１を開封して封入されていたリジェクト硬貨の金種や枚数を確認し、確認した金種別の枚数を入力部５により入力して回収された硬貨群の有高と、その計数後の有高との突合を行う。
【００４１】
このようにして、本実施例の入金処理が行われる。
なお、硬貨を出金する出金処理の場合は、その選択を認識した主制御部２は、入力された出金すべき金種別の枚数を記した出金指令を制御部８へ送出し、これを受けた制御部８は、出金指令に記された金種の硬貨をそれぞれの金種別収納庫１７から指定枚数分繰出し、これをダクト２１により出金箱１９へ集積して係員へ払い出す。
【００４２】
上記のように、本実施例の入金処理においては、入金処理時にリジェクト硬貨が発生したした場合に、そのリジェクト硬貨を取引単位で取引番号が印刷された保管袋３１に自動的に袋詰めして一時保管し、一連の取引の終了後等の空き時間等に保管袋３１を開封して回収された硬貨群の突合を行うので、現金処理装置１の稼動を停止させることなく、連続的に稼動させることができ、現金処理装置の稼動効率を向上させることができると共に、取引番号が印刷された保管袋３１に取引単位で袋詰めされたリジェクト硬貨が自動的に放出されるので、係員はリジェクト硬貨を区別して保管する必要がなくなり、係員のリジェクト硬貨の保管に対する負担を軽減することができる。
【００４３】
以上説明したように、本実施例では、現金処理装置の鑑別部で異常と鑑別されたリジェクト硬貨を集積するリジェクト庫の排出通路の下流に、リジェクト硬貨を取引単位で取引番号を印刷した保管袋に袋詰めするパッキング部を設けたことによって、入金処理時にリジェクト硬貨が発生したした場合に、そのリジェクト硬貨を取引単位で取引番号が印刷された保管袋３１に自動的に袋詰めして一時保管することが可能になり、現金処理装置の稼動を停止させることなく、連続的に稼動させて現金処理装置の稼動効率を向上させることができると共に、係員はリジェクト硬貨を区別して保管する必要がなくなり、係員のリジェクト硬貨の保管に対する負担を軽減することができる。
【００４４】
なお、上記実施例においては、保管袋への取引番号の印刷は、リジェクト硬貨の封入後に行うとして説明したが、載置板の上方に印刷部を設け、待機中の空の保管袋に取引番号を先に印刷するようにしてもよい。このようにすれば、リジェクト硬貨を袋詰めにするときの処理時間を短縮することができる。
また、上記実施例においては、保管袋へ取引識別子としての取引番号をそのまま印字するとして説明したが、１次元バーコードや２次元バーコード（例えばＱＲ（Ｑｕｉｃｋ  Ｒｅｓｐｏｎｓｅ）コード（ＪＩＳ  Ｘ  ０５１０−１９９９））等のバーコードで印刷するようにしてもよい。この場合に２次元バーコードを用いれば、取引情報を印刷することも可能になる。
【００４５】
この場合に、印刷に変えて、保管袋にＩＣタグを貼付または埋込等により付加し、このＩＣタグに取引番号や取引情報等を記録するようにしてもよい。
更に、上記実施例においては、リジェクト硬貨を封入した保管袋を放出口へ放出するとして説明したが、放出口に代えて、現金処理装置内に係員等がアクセス可能な保管庫を設け、この保管庫にリジェクト硬貨を封入した保管袋を保管するようにしてもよい。このようにすれば、係員のリジェクト硬貨の保管に対する負担を更に軽減することができる。
【００４６】
更に、上記実施例においては、金融機関や警備会社等の現金センタに設置された現金処理装置を用いて、店舗から回収された現金を入金処理する場合を例に説明したが、多数のレジスタを保有する店舗の店舗内に設置された現金処理装置にレジスタから回収した現金を入金処理する場合も同様である。
【図面の簡単な説明】
【００４７】
【図１】実施例の現金処理装置を示すブロック図
【図２】実施例の硬貨取扱部の概略構成を示す説明図
【図３】実施例のパッキング部の断面を示す説明図
【図４】図３のＢ−Ｂ断面線に沿った断面を示す説明図
【図５】図３のＣ−Ｃ断面線に沿った断面を示す説明図
【符号の説明】
【００４８】
１    現金処理装置
２    主制御部
３    主記憶部
４    表示操作部
５    入力部
６    紙幣取扱部
７    硬貨取扱部
８    制御部
９    記憶部
１１  投入口
１２  繰出部
１３  鑑別部
１４  一時保留部
１５  開閉シャッタ
１６  シュータ
１７  金種別収納庫
１８  返却箱
１９  出金箱
２０  回収カセット
２１  ダクト
２２  リジェクト庫
２２ａ  底板
２３  搬送路
２４  リジェクト通路
２５  金種別通路
２６  排出通路
２６ａ  排出口
２７  返却口
２８  返却通路
２９  切替板
３０  パッキング部
３０ａ  供給口
３１  保管袋
３１ａ  底部
３１ｂ  開放端
３２  放出口
３４  連続袋
３４ａ  接合部
３６  供給口ガイド板
３７  開口機構
３７ａ、３７ｂ  吸引部
３８  載置板
４０  ステージ
４０ａ  回転支点
４１  案内板
４２  放出通路
４３  封止機構
４３ａ  ヒータ
４３ｂ  支持台
４４  カッタ
４６  印刷部
【図１】
2008299544.tif 000003
【図２】
2008299544.tif 000004
【図３】
2008299544.tif 000005
【図４】
2008299544.tif 000006
【図５】
2008299544.tif 000007